(57)【要約】【課題】使用者に向けた表示を有し、該表示によって使用者に感情的な効果を与え得る吸収性物品の個装体を提供すること。【解決手段】本発明の個装体１０は、吸収性物品１と個装シート９との積層体１５をその長手方向に折り畳み、個装シート９の所定箇所を封止してなる。個装体１０は、積層体１５が長手方向に折り畳まれて形成された、折り畳み部１６と、積層体１５の長手方向一端側を含んで構成され、折り畳み部１６の外面上に重ね合わされて折り畳み部１６との間に開封口１７を形成する、開封口形成部１８とを有している。開封口形成部１８の外面１８ａに、使用者に向けた第１の表示３０が、開封前の個装体１０の目視において視認可能に設けられており、折り畳み部１６の外面１６ａにおける、開封口形成部１８が重ね合わされる部分に、使用者に向けた第２の表示３１が設けられている。【選択図】図２
2011136099.tif 000002
【特許請求の範囲】
【請求項１】
吸収性物品と個装シートとの積層体をその長手方向に折り畳み、該個装シートの所定箇所を封止してなる吸収性物品の個装体であって、
前記積層体が長手方向に折り畳まれて形成された、折り畳み部と、該積層体の長手方向一端側を含んで構成され、該折り畳み部の外面上に重ね合わされて該折り畳み部との間に開封口を形成する、開封口形成部とを有し、
前記開封口形成部の外面に、使用者に向けた第１の表示が、開封前の前記個装体の目視において視認可能に設けられており、
前記折り畳み部の外面における、前記開封口形成部が重ね合わされる部分に、使用者に向けた第２の表示が設けられている、吸収性物品の個装体。
【請求項２】
前記個装体の開封前において、前記第１の表示と前記第２の表示とが重なっている請求項１記載の吸収性物品の個装体。
【請求項３】
前記第１の表示及び前記第２の表示は、それぞれ、前記個装シートに施された印刷である請求項１又は２記載の吸収性物品の個装体。
【請求項４】
前記開封口形成部の内面側に、前記吸収性物品の長手方向の前方領域が前記第２の表示を覆うように配されている請求項１〜３の何れかに記載の吸収性物品の個装体。
【請求項５】
前記第１の表示は、複数の図柄を含んで構成されており、該複数の図柄は、互いに同じで且つ前記積層体の幅方向に所定間隔を置いて配置されており、
前記第２の表示は、前記複数の図柄と同数のメッセージを含んで構成されており、該複数のメッセージは、互いに異なり且つ前記個装体の開封前において前記複数の図柄と重なる位置に配置されている請求項１〜４の何れかに記載の吸収性物品の個装体。
【発明の詳細な説明】
【技術分野】
【０００１】
本発明は、吸収性物品を個装シートと共に長手方向に折り畳み、該個装シートの所定箇所を封止してなる吸収性物品の個装体に関する。
【背景技術】
【０００２】
従来、生理用ナプキン、パンティライナー（おりものシート）等の吸収性物品は、個装シートと共に折り畳まれ、個別個装（個装）されて市販等されている。また、吸収性物品やこれを包む個装シートに、使用者に向けた表示を設けることが知られている。このような表示は、文字や図柄等を含んで構成されているものが多く、印刷等により外部から視認可能に設けられている。
【０００３】
例えば、特許文献１には、バックシートに図柄が設けられたナプキン本体と個装シートとを具備する個装生理用ナプキンにおいて、個装シートを透かして図柄を視認できるように個装シートの透明度を設定することが記載されている。特許文献１に記載の個装生理用ナプキンによれば、バックシートに設けられた図柄によって、開封前においては、それが生理用ナプキンであることを意識させず、使用後においては、吸収した経血をカムフラージュできるとされている。
【０００４】
また、特許文献２には、パーソナルケア製品（吸収性物品）と、開封口として機能する自由縁を有するラップ材（個装シート）とを具備する個装体において、該ラップ材に、該自由縁の位置についての明確な指示を与える少なくとも１つの感覚的表示を設けることが記載されている。特許文献２に記載の技術によれば、このような感覚的表示を個装シートに設けることで、使用者は、開封口の位置を容易に見つけ出すことができ、開封作業をスムーズに行うことができるとされている。
【先行技術文献】
【特許文献】
【０００５】
【特許文献１】特開２００３−１９９７８６号公報
【特許文献２】特表２００７−５２１１１７号公報
【発明の概要】
【発明が解決しようとする課題】
【０００６】
特許文献１に記載の個装生理用ナプキンにおいては、前述した効果を奏させるために、個装シートとして透明性の高いものを用いる必要がある。しかし、生理用ナプキンには、通常、該ナプキンを下着に固定する粘着部が設けられており、これに起因して、個装シートに、該粘着部に対する剥離機能が付与される場合があるところ、一般に、剥離容易性と透明性とは二律背反の関係にあり、個装シートに実用上十分な剥離機能を付与すると、個装シートの透明性が低下する場合がある。また、個装シートは、使用時や携帯時の柔軟性や、個装体を開封するときの個装シートに起因する音等に対応するため、多層化あるいは複合化される場合があるところ、個装シートの多層化あるいは複合化は、透明性の低下を招く場合がある。このような実情の下、特許文献１に記載の個装生理用ナプキンは、実際には、個装シートの低い透明性のため、バックシートに設けられた図柄の視認性が良好とは言えず、該図柄のおおよその色彩は判別できても、該図柄の細かな輪郭等は認識され難い。また、前述したように個装シート自体に剥離機能を付与せずに、個装シートとは別体の剥離シートを該個装シートに重ねて使用する場合があるが、その場合でも、透明性の低い剥離シートの存在により、特許文献１に記載の個装生理用ナプキンにおいては、バックシートに設けられた図柄の視認性が低い状態は変わらない。また、特許文献１に記載の個装生理用ナプキンにおいては、特に、開封前の開封口及びその近傍は、個装シートが重ねられた部分を有しているため、バックシートに設けられた図柄の視認性、認識性に劣る。
【０００７】
また、特許文献２に記載の技術は、開封前に開封口の位置を使用者に容易に認識させる目的で、開封前の個装体の外面を構成する個装シートの外面に、印刷パターンやエンボス加工パターン等を適宜組み合わせてなる感覚的表示を個装シートに施すというものであり、特許文献２には、開封口の認識以外の目的、例えば、見る者に感情的な効果を与え、吸収性物品使用前の憂鬱な気分を軽減させる等の目的は記載されていない。
【０００８】
従って本発明の課題は、使用者に向けた表示を有し、該表示によって使用者に感情的な効果を与え得る吸収性物品の個装体を提供することにある。
【課題を解決するための手段】
【０００９】
本発明は、吸収性物品と個装シートとの積層体をその長手方向に折り畳み、該個装シートの所定箇所を封止してなる吸収性物品の個装体であって、前記積層体が長手方向に折り畳まれて形成された、折り畳み部と、該積層体の長手方向一端側を含んで構成され、該折り畳み部の外面上に重ね合わされて該折り畳み部との間に開封口を形成する、開封口形成部とを有し、前記開封口形成部の外面に、使用者に向けた第１の表示が、開封前の前記個装体の目視において視認可能に設けられており、前記折り畳み部の外面における、前記開封口形成部が重ね合わされる部分に、使用者に向けた第２の表示が設けられている、吸収性物品の個装体を提供することにより、前記課題を解決したものである。
【発明の効果】
【００１０】
本発明の吸収性物品の個装体によれば、使用者に向けた表示によって使用者に感情的な効果を与えることができ、使用者の嗜好に訴え、使用者の吸収性物品使用前の憂鬱な気分を軽減する等の効果が発現される。
【図面の簡単な説明】
【００１１】
【図１】図１は、本発明の第１実施形態としての生理用ナプキンの個装体を示す斜視図である。
【図２】図２は、図１に示す個装体の一部を開封した状態を示す斜視図である。
【図３】図３は、図１に示す個装体における生理用ナプキンを示す概略図で、表面シート側を示す平面図である。
【図４】図４は、図１に示す個装体における生理用ナプキンを示す概略図で、裏面シート側を示す底面図である。
【図５】図５は、図１に示す個装体の構成及び製造手順を説明するための展開図である。
【図６】図６は、図５の展開図を裏面側から見た部分破断展開図である。
【図７】図７は、本発明の第２実施形態としての生理用ナプキンの個装体の図２相当図である。
【図８】図８（ａ）は、図７に示す個装体の構成及び製造手順を説明するための展開図、図８（ｂ）は、図８（ａ）に示す状態から積層体の一部を折り畳んだ状態を示す平面図である。
【発明を実施するための形態】
【００１２】
以下、本発明の吸収性物品の個装体の第１実施形態である生理用ナプキンの個装体について、図１〜図６を参照して説明する。第１実施形態の個装体１０は、図１に示すように、生理用ナプキン１を個装シート９により個別に個装してなる生理用ナプキンの個装体であり、生理用ナプキン１と個装シート９との積層体１５をその長手方向に折り畳み、個装シート９の所定箇所を封止してなる。尚、生理用ナプキン１（積層体１５）の長手方向とは、図中Ｙ方向のことであり、Ｙ方向に直交する生理用ナプキン１（積層体１５）の幅方向を、図中Ｘ方向として以下説明する。個装シート９の長手方向及び幅方向は、生理用ナプキン１の長手方向及び幅方向と一致している。
【００１３】
本実施形態における生理用ナプキン１（以下、ナプキン１ともいう）は、図３及び図４に示すように、肌当接面を構成する表面シート２、非肌当接面を構成する裏面シート３及びこれら両シート２，３間に介在された液保持性の吸収体４を具備し、実質的にＹ方向に縦長の形状を有している。表面シート２は、液透過性の中央シート２ａ及びその左右両側に一部を重ねた状態で接合された撥水性の側部シート２ｂ，２ｂからなる。
【００１４】
ナプキン１は、Ｙ方向に縦長に形成された本体５と、該本体５の長手方向（Ｙ方向）に沿う左右両側縁から幅方向（Ｘ方向）の外方に延出する一対のウイング部６，６を具備している。ウイング部６は、使用者の液排泄部に対向配置される液排泄部対向部Ａの左右両側に形成されている。ウイング部６は、吸収体４のＹ方向の両側縁からＸ方向に延出した表面シート２及び裏面シート３により形成されている。
【００１５】
ウイング部６は、裏面シート３側の面に、粘着剤の塗工により形成されたウイング部粘着部６１を有している。ウイング部６は、ナプキン１をショーツ等の下着に固定する際に、裏面シート３側に折り曲げられ、ウイング部粘着部６１を介して該下着の非肌対向面に粘着固定されるものである。下着の非肌対向面には、２層構造のクロッチ部の上層における下層側の面も含まれる。本体５は、裏面シート３側の面に、粘着剤の塗工により形成された矩形状の本体粘着部５１を有している。
【００１６】
第１実施形態の個装体１０は、例えば、下記のようにして得られる
先ず、図５に示すように、ナプキン１を、該ナプキン１よりも幅広でＹ方向に長い長方形形状の個装シート９上に載置して、ナプキン１と個装シート９との積層体１５を得る。
ナプキン１を、個装シート９上に載置する前には、予め、図６に示すように、ナプキン１の本体粘着部５１を、第１剥離シート７によって被覆しておくと共に、第１剥離シート７及び／又は個装シート９の相対向面に接着剤７１を塗工しておく。それにより、ナプキン１を個装シート９上に載置し、必要に応じて加圧等をすることにより、第１剥離シート７が接着剤７１を介して個装シート９に固定される。図６に、第１剥離シート７が、接着剤７１を介して個装シート９に固定された固定部７２〜７４を示した。尚、第１剥離シート７で本体粘着部５１を被覆した後に、第１剥離シート７を個装シート９に固定するのに代えて、個装シート９に固定した後の第１剥離シート７で、本体粘着部５１を被覆するようにしても良い。
【００１７】
また、ウイング部６，６は、図５に示すように、本体５の長手方向（Ｙ方向）に沿う両側縁に沿って本体５の表面シート２側（肌当接面側）に折り曲げると共に、その状態のウイング部のウイング部粘着部６１，６１を一枚の第２剥離シート８によって被覆しておく。第２剥離シート８は、図５に示すように、ナプキン１の長手方向（Ｙ方向）において、一部が少なくともウイング部粘着部６１よりも長手方向（Ｙ方向）の前方に延出するように配置されていることが好ましく、図５に示すように、第２剥離シート８の一部がウイング部６〔ウイング部６の前端６ａ（図３参照）〕よりも長手方向（Ｙ方向）の前方に延出するように配置されていることが好ましい。
【００１８】
そして、ナプキン１を個装シート９上に載置した状態において、ナプキン１の長手方向（Ｙ方向）の後方側の領域Ｒを、Ｂｒ線を折り軸として、個装シート９と共に長手方向に表面シート２側に折り曲げる。即ち、ナプキン１の長手方向（Ｙ方向）の後端１ｂから所定長さの図５中Ｒで示す領域を、表面シート２側が谷側となるように前方に向かって折り曲げ、当該領域Ｒを、当該領域Ｒよりも長手方向（Ｙ方向）の前方に位置する図５中Ｍで示す領域上に重ねる。これが、積層体１５を３つ折りする際の第１回目の折り曲げである。
【００１９】
次いで、ナプキン１の長手方向（Ｙ方向）の前方側の領域Ｆを、Ｂｆ線を折り軸として、個装シート９と共に長手方向に表面シート２側に折り曲げる。即ち、ナプキン１の長手方向（Ｙ方向）の前端１ａから所定長さの図５中Ｆで示す領域（ナプキン１の前方領域）を、表面シート２側が谷側となるように後方に向かって折り曲げ、図５中Ｍで示す領域に重ねた図５中Ｒで示す領域上に重ねる。これが、積層体１５を３つ折りする際の第２回目の折り曲げである。
この第２回目の折り曲げの前には、図５に示すように、第２剥離シート８の外面（ナプキン１の対向面とは反対側の面）のナプキン前端１ａ寄りの部分に接着剤８１を塗工しておくことが好ましい。接着剤８１の塗工により、ナプキン１の前方領域Ｆを折り曲げ、必要に応じて加圧等をすることにより、第２剥離シート８の折り返された部分８２が、図２に示すように、接着剤８１を介して、後述する折り畳み部１６の外面１６ａを形成する、個装シート９の外面に固定される。このように第１回目及び第２回目の折り曲げを行うことにより、ナプキン１は、個装シート９と共に長手方向に３つ折りされた状態となる。即ち、ナプキン１と個装シート９との積層体１５は、長手方向に３つ折りされた状態となる。尚、吸収性物品（生理用ナプキン）の前方側の領域（前方領域）Ｆは、着用時に着用者の腹に近い側であり、吸収性物品の後方側の領域Ｒは、着用時に着用者の背中に近い側である。
【００２０】
そして、その折り畳まれた状態のナプキン１の両側縁から幅方向（Ｘ方向）の外方に延出する個装シート９の両側部をヒートエンボス加工等の公知の接合方法により接合して側方封止部１１を形成すると共に、個装シート９の開封開始端９ａを公知のタブテープ１２で所定箇所に止着することにより、図１に示すナプキン１の個装体１０が得られる。開封開始端９ａとその下方に位置する個装シート９との間は、側方封止部１１を除き、接合されておらず隙間が形成されており、その隙間が開封口１７となっている。
【００２１】
第１実施形態の個装体１０は、図１及び図２に示すように、積層体１５の一部〔積層体１５の長手方向一端側を除く部分（図５中Ｍ及びＲで示す部分）〕が長手方向に折り畳まれて形成された、折り畳み部１６と、積層体１５の長手方向一端側（図５中Ｆで示す部分）を含んで構成され、該折り畳み部１６の外面１６ａ上に重ね合わされて該折り畳み部１６との間に開封口１７を形成する、開封口形成部１８とを有している。開封口形成部１８は、折り軸Ｂｆで折り畳み部１６に連接されており、折り軸Ｂｆとは反対側に位置する、開封口形成部１８のナプキン長手方向Ｙの一端は、個装シート９の開封開始端９ａとなっている。図２に示すように、開封口形成部１８の内面１８ｂ側には、ナプキン１の前方領域Ｆ（図５参照）が配されている。前方領域Ｆは、図１に示す如き個装体１０の開封前において、第２の表示３１を覆うように、開封口形成部１８の内面１８ｂ側に配されている。
【００２２】
図１に示すように、開封口形成部１８の外面１８ａには、文字及び／又は図柄を含んで構成される、使用者に向けた第１の表示３０が、開封前の個装体１０の目視において視認可能に設けられている。第１実施形態における第１の表示３０は、複数（４個）の互いに同じ図柄（ハート柄）の表示３０ａ、３０ｂ、３０ｃ、３０ｄを含んで構成されている。複数の表示３０ａ〜３０ｄは、外面１８ａを形成する個装シート９の外面に、積層体１５（ナプキン１）の幅方向Ｘに沿って〔開封開始端９ａ（開封口１７）に沿って〕所定間隔を置いて配置されており、個々に独立した表示となっている。
【００２３】
また、図２に示すように、折り畳み部１６の外面１６ａにおける、開封口形成部１８が重ね合わされる部分には、文字及び／又は図柄を含んで構成される、使用者に向けた第２の表示３１が設けられている。第１実施形態における第２の表示３１は、第１の表示３０を構成する複数の図柄（表示３０ａ〜３０ｄ）と同数（４個）の表示３１ａ、３１ｂ、３１ｃ、３１ｄを含んで構成されている。複数の表示３１ａ〜３１ｄは、使用者に向けたメッセージであり、該複数のメッセージは互いに異なっている。該複数のメッセージを、図２中、Ａ，Ｃ，Ｅ，Ｚで示した。メッセージは、使用者に向けた情報の一種であり、文字及び／又は図柄を１つ以上含んで構成されている。複数の表示３１ａ〜３１ｄは、外面１６ａを形成する個装シート９の外面に、積層体１５（ナプキン１）の幅方向Ｘに沿って〔開封開始端９ａ（開封口１７）に沿って〕所定間隔を置いて配置されており、個々に独立した表示となっている。
【００２４】
第１の表示３０及び第２の表示３１は、何れも個装シート９の外面に、印刷により、該外面の地色（例えば白色）以外の色彩の印刷インクが付与されて形成されており、印刷インクが付着してなるインク付着部を含んで構成されている。また、前述したように、第１の表示３０は図柄（ハート柄）を、第２の表示３１は文字（メッセージ）を、それぞれ含んで構成されており、第１の表示３０と第２の表示３１とは、外見上互いに異なっている。
【００２５】
第２の表示３１は、図１に示す如き個装体１０の開封前においては、その全体が開封口形成部１８で被覆（遮蔽）され隠されている。そのため、第２の表示３１は、個装体１０の外面に露出している第１の表示３０に比して、個装体１０の開封前においては目視で視認し難く、実質的に隠蔽されている。但し、図２に示す如き個装体１０の開封後においては、開封口形成部１８による被覆状態が解除されているため、第２の表示３１は、第１の表示３０と同様に、目視で視認可能である。開封口形成部１８は、不織布やパルプ積繊体等を含んで構成されているナプキン１（ナプキン１の前方領域Ｆ）と樹脂フィルムや不織布等からなる個装シート９との積層体１５の一部であり、通常有色（白色）で不透明であるため、該開封口形成部１８によって被覆される表示を隠蔽し得る。特に、開封口形成部１８において、ナプキン１の配置部（ナプキン１と個装シート９との積層部分）は、ナプキン１が配されておらず個装シート９のみからなる部分に比して透明性が低く隠蔽性が高いため、折り畳み部１６の外面１６ａにおける、該配置部が重ね合わされる部分に第２の表示３１が設けられていると、開封口形成部１８による第２の表示３１の隠蔽性が更に高まる。
【００２６】
また、図１に示す如き個装体１０の開封前において、第１の表示３０と第２の表示３１とは重なっている。即ち、第２の表示３１を構成する複数の表示（メッセージ）３１ａ〜３１ｄは、個装体１０の開封前において、第１の表示３０を構成する複数の表示（図柄）表示３０ａ〜３０ｄと重なる位置に配置されている。更に説明すると、第１実施形態においては、折り畳み部１６の外面１６ａにおける、第１の表示３０を構成する複数の表示３０ａ〜３０ｄそれぞれに対応する位置に、第２の表示３１を構成する複数の表示３１ａ〜３１ｄが設けられており、複数の表示３０ａ〜３０ｄと複数の表示３１ａ〜３１ｄとが１対１で重なって設けられている。第２の表示３１（複数の表示３１ａ〜３１ｄ）は、第１の表示３０（複数の表示３０ａ〜３０ｄ）の略真下に位置している。ここで、「１対１で重なって設けられている」とは、個装体１０の開封前において、第１の表示３０を構成する複数の表示３０ａ〜３０ｄそれぞれが、第２の表示３１を構成する複数の表示３１ａ〜３１ｄのうちの１つとのみ重なり、且つ複数の表示３１ａ〜３１ｄのうちの１つに複数の表示３０ａ〜３０ｄのうちの２つ以上が重なることを除外する意味である。このように、個装体１０の開封前において両表示３０，３１が重なっている、特に、複数の表示どうしが１対１で重なって設けられていることにより、１）開封前における第２の表示３１の隠蔽性が更に高まる、及び２）開封前に重なっていた表示どうしの間に何らかの関連性があることを、個装体１０を開封した使用者に認識させ易い、等の効果が奏される。
【００２７】
前記２）の効果について更に説明すると、個装体１０を開封する際には、ナプキン１の使用者は、先ず、第１の表示３０を構成する複数の表示３０ａ〜３０ｄを見た後に、個装体１０を開封し、開封口形成部１８で被覆されていた第２の表示３１を構成する表示３１ａ〜３１ｄを見ることとなる。ここで、例えば、ハート柄の表示３０ａと、開封前に表示３０ａと重なっていたメッセージ（図２中のアルファベットの「Ａ」）である表示３１ａとは、外見こそ互いに異なるものの、ナプキン１の使用者が開封口形成部１８をめくるだけで視線を変えずに両表示３０ａ，３１ａを見ることができるため、使用者によって容易且つ自然に関連付けられる。このような使用者による関連性の認識の容易性は、他の表示３０ｂ〜３０ｄと３１ｂ〜３１ｄとの関係にも当てはまる。また、開封前に互いに重なっている表示どうしが使用者によって容易に関連付けられるようになされていることに付随して、開封前に互いに重なっていない表示どうし（例えば表示３０ａと表示３１ｂ）は、使用者によって関連付けられ難く、互いに無関係と認識され易い。従って、複数の表示３０ａ〜３０ｄと複数の表示３１ａ〜３１ｄとが１対１で重なって設けられていることにより、第１の表示３０における個々の表示３０ａ〜３０ｄは、複数の表示の中から使用者が選択可能な選択肢として機能し、第２の表示３１における個々の表示３１ａ〜３１ｄは、該選択肢に対応する選択結果として機能し得る。第１の表示３０と第２の表示３１とがこのような、選択肢とその選択結果という関係にあると、個装体１０の所定箇所に何らかの情報が単に表示されているだけの場合に比して、個装体１０を開封する楽しみがより大きく且つ確実に得られるようになり、使用者のナプキン１使用前の憂鬱な気分を軽減することが可能となる。
【００２８】
前記２）の効果を利用し、「個装体を開封する楽しみ」の如き、感情的な効果を使用者に一層確実に与えるようにするためには、開封口形成部１８による第２の表示３１の隠蔽性が高く、個装体１０の開封前において第２の表示３１が目視で視認し難いことが重要である。仮に、第２の表示３１が個装体１０の開封前から明確に視認できてしまうと、第１の表示３０による前述した選択肢としての機能が十分に活用されず、ナプキン１の使用者が、開封前に複数の表示３０ａ〜３０ｄの一部を選択した後、開封してその選択結果（表示３１ａ〜３１ｄの一部）を見る楽しみが低減するおそれがある。開封口形成部１８による第２の表示３１の隠蔽性を高める方法としては、前述した、ａ）折り畳み部１６の外面１６ａにおける、ナプキン１（ナプキン１の前方領域Ｆ）の配置部が重ね合わされる部分に第２の表示３１を設ける方法（即ち、開封口形成部１８の内面１８ｂ側に、ナプキン１の前方領域Ｆを、第２の表示３１を覆うように配する方法）の他、ｂ）個装シート９として隠蔽性の高いシートを用いる、ｃ）個装体１０の開封前に互いに重なる表示（例えば表示３０ａと表示３１ａ）を、それぞれ、同一の色彩あるいは同系統（同色相）の色彩で表す、ｄ）第１の表示３０を、これと重なる第２の表示３１よりも大きくする、等の方法が挙げられる。
【００２９】
第１実施形態の個装体１０においては、図２に示すように、ウイング部粘着部６１を被覆する第２剥離シート８の一部である、折り返された部分８２が、接着剤８１を介して、第２の表示３１が設けられている折り畳み部１６の外面１６ａを形成する、個装シート９の外面に固定されているため、第２剥離シート８を個装シート９の内面に固定した場合とは異なり、個装シート９をナプキン１の後端１ｂから延出させる必要がない。そのため、個装シート９のナプキン後端１ｂから延出する部分が前方折り軸Ｂｆ又はその近傍に達して折り曲げられること、あるいは個装シート９の斯かる延出部分の存在による積層体１５の剛性の向上に起因する、個装シート９のシワやヨレを防止することができ、これにより、折り畳み部１６の外面１６ａに設けられた第２の表示３１が視認され易くなされている。
【００３０】
また、第２剥離シート８は、第１剥離シート７（図６参照）よりも幅方向長さが長くされることがあるが、この第２剥離シートを第２剥離シートより幅方向長さの長い個装シート９の外面に固定することで、製造工程で固定が安定し、容易かつ安定したナプキン１の取出しが行える個装体１０とすることができる。尚、第２剥離シート８の一部を個装シート９に固定するのは、ナプキン１を取り出す際に第２剥離シート８を床に落としてしまうことを防止したり、第２剥離シート８を個装シート９とは別に処理する煩わしさをなくすためである。
【００３１】
図２に示すように、第２剥離シート８の一部（折り返された部分８２）を折り畳み部１６の外面１６ａに固定した場合、第２の表示３１（表示３１ａ〜３１ｄ）は、該一部と重ならないように設けられることが、表示の視認性及び第２剥離シート８と個装シート９との接合安定性の点から好ましい。具体的には、第２の表示３１は、折り返された部分８２のナプキン幅方向Ｘに沿う端部８２ａから２ｍｍ以上離間した位置に設けられることが好ましい。また、折り返された部分８２のナプキン長手方向Ｙの長さＬ８（図２参照）は、４〜１５ｍｍが好ましい。尚、第２剥離シート８（折り返された部分８２）が透明性の高い材料で形成されている場合には、第２の表示３１は、その透明性の高い部分８２と重なっていても良く、その場合、該部分８２を介して第２の表示３１を視認することができる。
【００３２】
第１の表示３０及び第２の表示３１は、何れも、主として使用者に向けた表示で、使用者に感情的な効果を与えることを主たる目的としたものであるが、個装体１０の製造においても有利に作用する。即ち、前述したように、表示３０，３１は、何れも個装シート９に施されており、また、個装体１０の製造方法は、ナプキン１を個装シート９上に載置する工程を有しているところ、図５及び図６に示すように、個装シート９の一面の長手方向Ｙの一端側（ナプキン１の前端１ａ及びその近傍に対応する部分並びにその近傍）に第１の表示３０が幅方向Ｘに沿って設けられ、他端側（ナプキン１の後端１ｂ及びその近傍に対応する部分並びにその近傍）に第２の表示３１が幅方向Ｘに沿って設けられていると、これらの表示３０，３１を目印として、ナプキン１を個装シート９上の所定位置に精度良く載置しやすく、仕上がり精度の高い吸収性物品（生理用ナプキン）の個装体を安定して連続生産することが可能となる。尚、図５及び図６は、第１及び第２の表示の位置を明確に示すために、それらを示す符号３０及び３１のみを記載している。
【００３３】
このように、使用者に向けた表示を製造上の目印として用いる観点から、第１の表示３０における個々の表示３０ａ〜３０ｄは、それぞれ、図柄の大きさが等しい、上面又は下面側の基点位置が等しい〔個々の表示の長手方向Ｙの少なくとも一端が揃っている（即ち、個々の表示の長手方向Ｙの少なくとも一端が幅方向Ｘに延びる１本の仮想直線上にある）〕等、個装体の製造に用いられる位置センサーの認識の基準となることが好ましい。第２の表示３１における個々の表示３１ａ〜３１ｄについても同様である。また、図示していないが、第２の表示３１は、製造上の位置センサーの感知を向上する観点から、幅方向Ｘに延びる線形状（破線や実線の直線及び曲線）の図柄を含んで構成されていても良い。例えば、図２に示す如き文字（メッセージ）の近傍で且つ該文字の上方及び／又は下方に、該文字に沿って幅方向Ｘに延びる線形状の図柄を追加して設けることも好ましい。ナプキン１と個装シート９との積層体１５の折り位置（折り軸）近傍に、文字や線形状の図柄等を含んで構成される表示３０，３１が幅方向Ｘに印刷されていることにより、個装体１０の製造工程で、積層体１５を折り曲げる際の折り位置を判断する基線として、表示３０，３１を目印に、表示３０，３１を構成する図柄等の印刷部位の光透過変化などを使用する位置センサーにて、表示３０，３１近傍での折り位置を読み取ることができ、表示３０，３１を、折り位置を精度良く制御することにも利用することができる。
【００３４】
第１実施形態の個装体１０について更に説明すると、個装体１０を構成するナプキン１においては、ウイング部６は、ナプキン１の長手方向Ｙにおいて前側に偏倚させて形成されている。即ち、図３に示すように、ナプキン１の前端１ａからウイング部６の前端６ａまでの距離Ｌ１と、ナプキン１の後端１ｂからウイング部６の後端６ｂまでの距離Ｌ２とを比較したときに、距離Ｌ１＜距離Ｌ２となっている。また、ナプキン１においては、ナプキン１の前端１ａからウイング部６のナプキン長手方向Ｙの中央位置６ｃまでの距離Ｌ３と、ナプキン１の後端１ｂから中央位置６ｃまでの距離Ｌ４とを比較したときに、距離Ｌ３＜距離Ｌ４となっている。
【００３５】
第１実施形態においては、このように、ウイング部６がナプキン１の長手方向Ｙにおいて前側に偏倚させて形成されているため、ナプキン１の前方領域ＦのＹ方向の長さを、図５中Ｍで示す領域、図５中Ｒで示す領域のＹ方向の長さよりも短く形成できる。そのため、開封開始端９ａの位置を、個装体１０のナプキン長手方向Ｙにおける中央部付近から端部までの広い範囲に自由に設定でき、これにより、開封開始端９ａからの開封動作がスムーズにおこなえるように、あるいはタブテープ１２が個装体１０に沿って湾曲して持ち難くならないように、開封開始端９ａの位置を設定できる。
【００３６】
第１実施形態の個装体１０においては、ナプキン１又は個装シート９の長手方向Ｙと同方向の長さが短いコンパクトな個装体としながら、開封開始端９ａを個装体１０のナプキン１又は個装シート９の長手方向（Ｙ方向）中央域とする観点から、ナプキン１の後方側の領域Ｒを折り曲げる後方折り軸Ｂｒを、図５に示すように、ナプキン１の長手方向Ｙにおけるウイング部６より後方に位置させ、ナプキン１の前方側の領域Ｆを折り曲げる前方折り軸Ｂｆを、ナプキン１の長手方向Ｙにおけるウイング部６の中央位置６ｃより前方に位置させてある。
後方折り軸Ｂｒが、図５に示すように、ウイング部６の後端６ｂより後方にあると、個装体１０の開封開始端９ａを制御できるだけでなく、ウイング部６における第２剥離シート８で覆われていない部分が、表面シート２側に折られた状態から更に後方折りされることによって起こり易くなる該部分の折皺発生を抑制できる。これにより、ウイング部６の装着性の低下や第２剥離シート８の製造時の剥がれ等を防止できる。前方折り軸Ｂｆが、ウイング部６の中央位置６ｃより前方にあると、個装体１０の開封性が低下し難く、ウイング部６におけるＹ方向中央域すなわち排泄領域に、Ｘ方向に亘る連続する折線が形成されることはなく、横漏れを誘発し難くなる。
【００３７】
前方折り軸Ｂｆは、ウイング部６のウイング部粘着部６１よりも前方において、ウイング部６の前端６ａと重なっていることが好ましい。ウイング部６に折りが形成されていると、粘着部６１を介してウイング部６と一体的となっている第２剥離シート８によって、ナプキン１の表面（表面シート２）の折り皺が形成され難く、個装形状も安定化されやすい。尚、前方折り軸Ｂｆとウイング部粘着部６１との間の距離Ｌ７（図５参照）は、１０〜３０ｍｍ、特に１５〜２５ｍｍ程度であることが好ましい。
【００３８】
第１実施形態における個装シート９は、図５及び図６に示すように、ナプキン１の長手方向（Ｙ方向）において、ナプキン１の前端１ａより外方に延出している一方、該ナプキン１の後端１ｂ側においては、該後端１ｂの位置又はそれよりナプキン１の前方側に後端９ｂを有している。そのため、前方折り軸Ｂｆにおける折り曲げの際に、個装シート９が折れ曲がったり、個装シート９にシワやヨレが生じることが防止され、個装材料が部分的に多く重なることによる側方封止部１１のシール性が低下したり、第２剥離シート８と個装シート９との固定が不充分となったりすることが防止される。尚、図５及び図６に示すように、個装シート９が、ナプキン１の後端１ｂの位置に後端９ｂを有する態様には、個装シート９の長手方向後方端部９ｂがＢｒ軸で折り曲げた際にＢｒ軸を越えない場合において、ナプキン１の後端１ｂから延出する長さＬ６が、５ｍｍ以下の場合も含まれるが、個装シート９がナプキン１の後端１ｂから延出していないことが好ましい。
【００３９】
また、第１実施形態の個装体１０においては、図５に示すように、ウイング部粘着部６１の全体が後方折り軸Ｂｒと前方折り軸Ｂｆとの間に位置している。そのため、第２剥離シート８が後方折り軸Ｂｒの折加工による影響を受けず、前方折り軸Ｂｆの折加工では第２剥離シート８によってウイング部６の前方側を抑えながら前方折り軸Ｂｆが形成されるため、第２剥離シート８がウイング部粘着部６１から剥がれにくく、折りが整ったナプキン１を提供できる。
【００４０】
また、第１実施形態の個別個装１０においては、図６に示すように、第１剥離シート７と個装シート９とを固定した固定部７２〜７４が、ナプキン１の長手方向（Ｙ方向）に離間させて複数形成されている。固定部７２〜７４は、図６に示すように、後方折り軸Ｂｒと前方折り軸Ｂｆと重ならずに配されていることが、後方折り軸Ｂｒと前方折り軸Ｂｆを形成しやすい点から好ましい。尚、第２剥離シート８と個装シート９との固定は、個装シート９の加工時の乱れによって、固定強度が低くされる場合があるが、個装シート９と第１剥離シート７との固定部分では個装シート９の加工時の乱れがおこらないため、安定した固定強度が得られる。
【００４１】
また、第１実施形態においては、固定部７２〜７４は、図６に示すように、前方折り軸Ｂｆ及び後方折り軸Ｂｒによって画成される領域Ｆ，Ｍ及びＲ（図５参照）にそれぞれ形成されている。このように固定部７２〜７４が配されていることにより、ナプキン１、個装シート９及び第１剥離シート７の３つ折り形状が安定化する。
【００４２】
また、図６に示すように、ナプキン１の長手方向（Ｙ方向）において、最も前端１ａ側に位置する固定部７２は、本体粘着部５１より前方側に形成されている。そのため、折り形成時のズレと開封時の操作性が向上する。
【００４３】
また、第２剥離シート８における、前方折り軸Ｂｆによって折り返された部分８２の長さＬ８（図２及び図５参照）は、ナプキン１の長手方向（Ｙ方向）と同方向における第２剥離シート８の接着剤８１の後方側の位置からウイング部粘着部６１の前方側の端部までの長さＬ９（図５参照）の３０％以上、特に４０〜６０％であることが、製造時に、第２剥離シート８がウイング部粘着部６１から剥がれることや第２剥離シート８の折りの安定の点から好ましく、個装シート９の後端９ｂが、ナプキン１の後端１ｂの位置又はそれより前方に位置している場合であっても、第２剥離シート８の折りが安定することによって個装シート９の外面との固定を安定して行うことができる。
【００４４】
第１実施形態の個装体１０の各部の形成材料としては、生理用ナプキン等の吸収性物品の個装体に、従来用いられているものを特に制限なく用いることができる。
個装シート９としては、樹脂フィルムや不織布等を用いることができ、適宜選択して用いることができるが、滑らかさや、シート強度、耐液性（ホットメルトの染みだし抵抗性）の点からは、スパンボンド不織布（Ｓ）とメルトブロー不織布（Ｍ）との複合不織布（ＳＭ，ＳＭＳ等）が好ましく、柔軟性の観点からは、バインダー繊維によるエアースルー不織布が好ましい。個装シート９に直接鮮明な印刷（表示３１，３１）を施す観点からは、フィルム材料又はフィルムと不織布のラミネート構造も好ましく用いられる。第２の表示３１の隠蔽性を高める観点からは、フィルム材料又はフィルムと不織布のラミネート構造等が好ましく用いられる。また、第１の表示３０と第２の表示３１とが重なっており、第１の表示３０で第２の表示３１の隠蔽性を確保できる場合に限り、個装体１０に適度な透過性を付与することで、重なっていた表示どうしの間の関連性を使用者により認識させやすい。この個装体に適度な透過性を付与する観点からは、個装シート９としては、フィルムと不織布とのラミネート構造が好ましく用いられる。
【００４５】
第１及び第２剥離シート７，８としては、それぞれ、樹脂フィルムや不織布（特にスパンボンド系の不織布）、紙からなる基材シートに剥離処理を施したもの等を用いることができる。剥離処理としては、例えばシリコン系樹脂、フッ素系樹脂、または四フッ化エチレン系樹脂などの離型処理液等を、塗工するかスプレー塗布し表面に薄い被膜を形成する方法、さらに紫外線照射や熱処理により剥離被膜を安定化させる方法等を挙げることができる。第１剥離シート７と第２剥離シート８とで基材シートの種類や剥離処理が同じであっても異なっていても良い。
第１及び第２剥離シート７，８は、ウイング部粘着部６１又は本体粘着部５１に当接される面が剥離処理面である一方、それとは反対側の面は、個装材との固定を安定させる観点から剥離処理されていない非剥離処理面であることが好ましい。
【００４６】
ウイング部粘着部６１及び本体粘着部５１形成用の粘着剤としては、それぞれ、生理用ナプキン等の吸収性物品の粘着部形成用に従来用いられている各種の粘着剤を特に制限なく用いることができ、ウイング部粘着部６１と本体粘着部５１とで、粘着剤の種類が同一であっても異なっていても良い。
【００４７】
第１実施形態の個装体１０は、通常の生理用ナプキンの個装体と同様に、開封しナプキン１を取り出して使用することができる。第１実施形態の個装体１０によれば、使用者に向けた表示３０，３１によって使用者に感情的な効果を与えることができ、使用者の嗜好に訴え、ナプキン１の使用前の使用者の憂鬱な気分を軽減する等の効果が発現される。特に、第１実施形態においては、第１の表示３０と第２の表示３１とが、選択肢とその選択結果という関係にあることにより、個装体１０を開封する楽しみが得られやすい。また、個装体１０の製造時において、個装シート９の外面に印刷された表示３０，３１が、個装シート９上にナプキン１を配置する際の目印として機能するため、ナプキン１の位置ズレを起こし難く、第１の表示３０と第２の表示３１の位置関係を精密に制御することができる。例えば、第１の表示３０を不要に大きくしなくとも第２の表示３１と重なった状態で安定的に生産することができる等の利点がある。その結果、得られる個装体１０は、仕上がり精度が高く高品質である。
【００４８】
以下、本発明の他の実施形態について図７及び図８を参照して説明する。後述する他の実施形態については、前述した第１実施形態の個装体１０と異なる構成部分を主として説明し、同様の構成部分は同一の符号を付して説明を省略する。特に説明しない構成部分は、第１実施形態の個装体１０についての説明が適宜適用される。
【００４９】
図７及び図８には、本発明の吸収性物品の個装体の第２実施形態が示されている。前述した第１実施形態の個装体１０は、ナプキン１と個装シート９との積層体が長手方向Ｙに３つ折りされて構成されていたが、第２実施形態の個装体１０Ａは、積層体１５が長手方向Ｙに４つ折りされて構成されている。個装体１０Ａは、図８に示すように、ナプキン１Ａの前端１ａから後端１ｂに向かって、前方折り軸Ｂｆ、中間折り軸Ｂｍ、後方折り軸Ｂｒを長手方向Ｙに有している。
【００５０】
第２実施形態の個装体１０Ａは、例えば、下記のようにして得られる。図８（ａ）に示すように、ナプキン１Ａを個装シート９上に載置した状態において、ナプキン１の長手方向（Ｙ方向）の後方側の領域Ｒのうちの最後方部分を、Ｂｒ線を折り軸として、個装シート９と共に長手方向に表面シート２側に折り曲げる。即ち、前記最後方部分を、表面シート２側が谷側となるように前方に向かって折り曲げ、該最後方部分を、領域Ｒにおける中間折り軸Ｂｍと後方折り軸Ｂｒとの間に重ねる。これにより、領域Ｒは２つ折りされる。これが、積層体１５を４つ折りする際の第１回目の折り曲げである。
【００５１】
次いで、ナプキン１Ａの後方側の領域Ｒを、Ｂｍ線を折り軸として、個装シート９と共に長手方向に表面シート２側に折り曲げる。即ち、前記のように２つ折りされた領域Ｒを、表面シート２側が谷側となるように前方に向かって折り曲げ、図８（ａ）中Ｍで示す領域上に重ねる。これが、積層体１５を４つ折りする際の第２回目の折り曲げである。
【００５２】
次いで、ナプキン１Ａの長手方向（Ｙ方向）の前方側の領域Ｆを、Ｂｆ線を折り軸として、個装シート９と共に長手方向に表面シート２側に折り曲げる。即ち、ナプキン１の前方領域Ｆを、表面シート２側が谷側となるように後方に向かって折り曲げ、図５中Ｍで示す領域に重ねた図５中Ｒで示す領域上に重ねる。これが、積層体１５を４つ折りする際の第３回目の折り曲げである。そして、第１実施形態と同様に、個装シート９の所定箇所を封止し、タブテープ１２を止着することにより、図７に示す個装体１０Ａが得られる。尚、第２実施形態における第２剥離シート８は、図８に示すように、前方折り軸Ｂｆと中間折り軸Ｂｍとの間に収まっており、従って、第２実施形態における第２剥離シート８は、第１実施形態のように折り軸Ｂｆで折り返されず、第２実施形態の個装体１０Ａは、前述した、第２剥離シート８が折り返された部分８２を有していない。また、個装シート９には、ナプキン１Ａとの接触面側に粘着部（図示せず）との剥離を容易にする剥離処理（シリコン処理）が施されているが、該個装シート９の外面（該接触面側とは反対側の面）は、ウイング部６を覆う剥離シート８の粘着部６１に対して、容易に接合可能となっている。
【００５３】
第２実施形態の個装体１０Ａによっても第１実施形態と同様の効果が奏される。特に、第２実施形態における折り畳み部１６は、積層体１５が３つ折りされて構成されているため、比較的高い剛性を有し、該折り畳み部１６に設けられた第２の表示３１が、折られたり歪んだりし難く、使用者に明瞭に認識され易い。
【００５４】
本発明は、前記実施形態に制限されるものではなく、適宜変更可能である。例えば、前記実施形態では、第１の表示３０及び第２の表示３１は、それぞれ、複数の表示を含んで構成されていたが、単一の表示から構成されていても良い。その場合、例えば、単一の第１の表示３０を、なぞなぞの如き「問題」とし、単一の第２の表示３１を、なぞなぞの「答え」とすることができる。
【００５５】
また、第１の表示３０及び第２の表示３１は、それぞれ、図１、図２及び図７に示す如き形態に制限されず、文字、図柄、色彩等を適宜組み合わせて構成することができる。色彩は、例えば風水における色のように、それ単独で使用者に向けた情報となり得るが、表示３０，３１は、文字及び／又は図形を主体とし、それに付加的に色彩が用いられているものが好ましい。例えば、選択肢としての第１の表示３０の選択結果として機能する、第２の表示３１としては、複数個の文字情報、複数個の図形（イラスト）、複数個の色彩違いの図形等とすることができ、文字情報としては、例えば、憂鬱になりがちな生理期間中もぐっすり寝られるアドバイスや、もっとハッピーな気分になるアドバイスや、占い等の情報が挙げられる。
【００５６】
さらには、第２の表示３１は、折り畳み部１６の外面１６ａにおいて、開封口形成部１８が重ね合わされる部分のみに設ける必要はなく、開封口形成部１８が重ね合わされない部分に渡って設けることもできる。その場合、個装体１０の開封前には、第１の表示３０と、第２の表示３１における開封口形成部１８が重ね合わされない部分とが視認され、開封後には、第２の表示３１は、開封口形成部１８が重ね合わされる部分と重ね合わされない部分との両方が視認されることとなる。これにより、視認される図柄の一部が変化する効果を付与することができる。
【００５７】
また、表面シートは、その全体が一枚の液透過性のシートからなるものを用いることもできる。また、ウイング部は、本体の構成材を延出させて形成されたものに代えて、別材を固定して形成することもできる。
また、第１及び第２剥離シートの形状は、長方形、正方形、台形、六角形、楕円形等、それぞれの機能を達成し得る限り任意の形状とすることができる。
【００５８】
また、第１剥離シート７と個装シート９との固定や、第２剥離シート８と個装シート９との固定は、接着剤７１，８１以外の接合手段によって行っても良く、例えば、ヒートシール、超音波シール、高周波シール等により接合しても良い。
また、第１剥離シート７が個装シート９に固定された固定部は、図５及び図８中のＦ及びＲに示す領域のみに形成したり、図５及び図８中のＦ、Ｍ及びＲに示す領域に連続的に形成しても良い。
また、本体粘着部５１は、ナプキン１の前後及び／又は左右に分離して複数設けても良い。また、ウイング部粘着部６１も、各ウイング部に複数設けても良い。
【００５９】
また、第１実施形態の個装体１０の製造において、第２回目の折り曲げの際に、ナプキン１等と共に第２剥離シート８が折れ曲がり易くするために、吸収性物品との合流前に第２剥離シート８に折り曲げ誘導手段を形成しても良い。第２回目の折り曲げの際に、第２剥離シート８は、ナプキン１（吸収性物品）と共に折り軸Ｂｆに沿って折り曲げられる。折り曲げ誘導手段は、第２回目の折り曲げの際に、第２剥離シート８の端部を容易に折れ曲がるようにするために、合流前の加工処理により形成されるもので、第２剥離シート８に幅方向Ｘに形成したスリット加工、幅方向Ｘの折り曲げ予定位置の端部にノッチを形成、折り曲げ部分の幅方向Ｘの側部の切断・除去、折り曲げ予定位置への圧縮加工等を施して、曲げ剛性を低下させることで形成できる。
【００６０】
本発明における吸収性物品は、生理用ナプキンの他、パンティライナー（おりものシート）、失禁パッド等の他の吸収性物品であっても良い。
【符号の説明】
【００６１】
１０，１０Ａ  生理用ナプキンの個装体（吸収性物品の個装体）
１，１Ａ  生理用ナプキン（吸収性物品）
２  表面シート
３  裏面シート
４  吸収体
５  本体
６  ウイング部
８  第２剥離シート
９  個装シート
９ａ  開封開始端
１５  生理用ナプキン（吸収性物品）と個装シートとの積層体
１６  折り畳み部
１６ａ  折り畳み部の外面
１７  開封口
１８  開封口形成部
１８ａ  開封口形成部の外面
３０，３０ａ，３０ｂ，３０ｃ，３０ｄ  第１の表示
３１，３１ａ，３１ｂ，３１ｃ，３１ｄ  第２の表示
８２  第２剥離シートの折り返される（た）部分
Ｂｆ  前方折り軸
Ｂｒ  後方折り軸
Ｆ  生理用ナプキン（吸収性物品）の前方領域
【図１】
2011136099.tif 000003
【図２】
2011136099.tif 000004
【図３】
2011136099.tif 000005
【図４】
2011136099.tif 000006
【図５】
2011136099.tif 000007
【図６】
2011136099.tif 000008
【図７】
2011136099.tif 000009
【図８】
2011136099.tif 000010